(57)【要約】【課題】デジタルカメラのホワイトバランスにおいて、同一の環境でもレンズの絞り値により適切なホワイトバランス補正値が異なる。レンズの絞り値毎の分光特性を考慮することで、レンズの絞り値によらないデジタルカメラシステムを提供する。【解決手段】レンズユニットからカメラ本体に各絞り値ごとの分光透過率データを送信し、カメラは撮影時の絞り値に対応する分光透過率データと自身の分光特性データに基づき、ホワイトバランス補正値を算出する。このホワイトバランス補正値を用いてホワイトバランス補正を行うことで、レンズの絞り値により色再現が変化することを抑制できる。【選択図】図１
2006074076.tif 000002
【特許請求の範囲】
【請求項１】
カメラ本体と、このカメラ本体に対して着脱自在なレンズユニットを含むデジタルカメラシステムにおいて、
前記レンズユニットに設けられ、該レンズユニットの複数の絞り値における分光特性を記憶した第１の記憶手段と、
前記カメラ本体内に設けられ、該カメラ本体の分光特性を記憶した第２の記憶手段と、
撮影時の絞り値に対応した前記第１の記憶手段に記憶された分光特性と前記第２の記憶手段に記憶された分光特性に基づき、ホワイトバランス補正値を算出する演算手段と、
を備えていることを特徴とするデジタルカメラシステム。
【請求項２】
カメラ本体と、このカメラ本体に対して着脱自在なレンズユニットを含むデジタルカメラシステムにおいて、
前記カメラ本体内に設けられ、該カメラ本体の分光特性を記憶する第１の記憶手段と、
前記カメラ本体に装着される可能性を有する複数の識別ＩＤに対応するレンズユニットの複数の絞り値における分光特性を記憶した第２の記憶手段と、
前記カメラ本体に装着されているレンズユニットの識別ＩＤを検出する手段と、
前記第１の記憶手段に記憶された分光特性と前記検出手段により検出された識別ＩＤおよび撮影時の絞り値に対応した前記第２の記憶手段に記憶された分光特性に基づき、ホワイトバランス補正値を算出する演算手段と、
を備えていることを特徴とするデジタルカメラシステム。
【請求項３】
複数の光源の分光特性を記憶した第３の記憶手段を備えていることを特徴とする請求項１または請求項２記載のデジタルカメラシステム。
【発明の詳細な説明】
【技術分野】
【０００１】
本発明は、カメラ本体とこのカメラ本体に対して着脱自在なレンズユニットを含むデジタルカメラシステムにおけるホワイトバランス補正手段に関する。
【背景技術】
【０００２】
人間の目には、照明光によらず白いものが白く見える色順応という機能が備わっている。デジタルカメラにおいても、白いものが白くなるように各色信号のゲインを補正するホワイトバランス補正が行われている。ホワイトバランス補正の方式としては、撮影した画像を用いるＴＴＬ方式が一般に用いられている。ＴＴＬ方式では、画像の無彩色のデータを検出し、そのデータから外光の色温度を推測する手法が一般的であるため、無彩色のデータが少ない画像に対しては誤ったホワイトバランス補正が行われてしまう。一方、ＣＣＤ等の撮像素子や撮像レンズ、外付けストロボ等をユニット単位で交換可能なカメラシステムにおいて、撮影時に装着されているユニットの分光特性情報に基づきホワイトバランス補正を行う方式として、例えば、特許文献１がある。
【０００３】
係る特許文献１に記載されたデジタルカメラシステムは、カメラ本体と、これに対して着脱自在のレンズユニット、ＣＣＤユニット、ストロボユニットにおいて、上記ユニット毎に設けられ、当該ユニット固有の分光特性情報と、カメラ本体内に設けられ、当該カメラ本体の撮影条件に対応した分光特性情報に基づき撮影時の総合分光特性を算出し、算出した総合分光特性に基づいてホワイトバランスを補正するものである。このようなシステム構成とすることで、撮影した画像に依存せずにホワイトバランス補正を行うことができるだけでなく、分光特性の異なるユニットが装着された場合においても適切なホワイトバランス補正を行うことができる。
【特許文献１】特開２００１−３３９７３４号公報
【特許文献２】特開平１０−１５５１００号公報
【発明の開示】
【発明が解決しようとする課題】
【０００４】
しかしながら、レンズの分光特性は絞り値によって変化するために、カメラ本体に装着されているレンズが同じであっても、撮影時の絞り値によって適切なホワイトバランス補正値が異なる。上記特許文献１に記載されたデジタルカメラシステムにおいては、レンズの撮影値の絞り値が変化してもホワイトバランス補正値の算出の際には同一の分光特性データを使用するために、絞り値によっては適切なホワイトバランス補正値が算出されない。
【０００５】
本発明では、撮影時の絞り値毎の分光特性データを用いてホワイトバランス補正値を算出することにより、絞り値が変化しても適切なホワイトバランス補正を行う。
【課題を解決するための手段】
【０００６】
上述した課題を解決するため、請求項１に係るデジタルカメラシステムは、カメラ本体と、このカメラ本体に対して着脱自在なレンズユニットを含むデジタルカメラシステムにおいて、前記レンズユニットに設けられ、該レンズユニットの複数の絞り値における分光特性を記憶した第１の記憶手段と、前記カメラ本体内に設けられ、該カメラ本体の分光特性を記憶した第２の記憶手段と、撮影時の絞り値に対応した前記第１の記憶手段に記憶された分光特性と前記第２の記憶手段に記憶された分光特性に基づき、ホワイトバランス補正値を算出する演算手段と、を備えていることを特徴とする。
【０００７】
このようなシステム構成とすれば、装着されているレンズユニットの撮影時の絞り値に対応した分光特性に基づき、常に適切なホワイトバランス補正値が算出される。
【０００８】
また、請求項２に係るデジタルカメラシステムは、カメラ本体と、このカメラ本体に対して着脱自在なレンズユニットを含むデジタルカメラシステムにおいて、前記カメラ本体内に設けられ、該カメラ本体の分光特性を記憶する第１の記憶手段と、前記カメラ本体に装着される可能性を有する複数の識別ＩＤに対応するレンズユニットの複数の絞り値における分光特性を記憶した第２の記憶手段と、前記カメラ本体に装着されているレンズユニットの識別ＩＤを検出する手段と、前記第１の記憶手段に記憶された分光特性と前記検出手段により検出された識別ＩＤおよび撮影時の絞り値に対応した前記第２の記憶手段に記憶された分光特性に基づき、ホワイトバランス補正値を算出する演算手段と、を備えていることを特徴とする。
【０００９】
このようなシステム構成とすれば、装着されているレンズユニットの撮影時の絞り値に対応した分光特性に基づき、常に適切なホワイトバランス補正値が算出されると共に、レンズユニットではそのユニットを識別するための識別ＩＤのみを記憶すればよいため、きわめて小さな記憶容量のメモリで済む。
【００１０】
また、請求項３に係るデジタルカメラシステムは、上記請求項１または請求項２記載のデジタルカメラシステムにおいて、複数の光源の分光特性を記憶した第３の記憶手段を備えていることを特徴とする。
【００１１】
このようなシステム構成とすれば、装着されているレンズユニットの撮影時の絞り値に対応した分光特性に基づき、さまざまな撮影光源下において常に適切なホワイトバランス補正値が算出される。
【発明の効果】
【００１２】
請求項１に係るデジタルカメラシステムは、カメラ本体と、このカメラ本体に対して着脱自在なレンズユニットを含むデジタルカメラシステムにおいて、前記レンズユニットに設けられ、該レンズユニットの複数の絞り値における分光特性を記憶した第１の記憶手段と、前記カメラ本体内に設けられ、該カメラ本体の分光特性を記憶した第２の記憶手段と、撮影時の絞り値に対応した前記第１の記憶手段に記憶された分光特性と前記第２の記憶手段に記憶された分光特性に基づき、ホワイトバランス補正値を算出する演算手段と、を備えていることを特徴とする。
【００１３】
このようなシステム構成とすれば、装着されているレンズユニットの撮影時の絞り値に対応した分光特性に基づき、常に適切なホワイトバランス補正値が算出される。
【００１４】
請求項２に係るデジタルカメラシステムは、カメラ本体と、このカメラ本体に対して着脱自在なレンズユニットを含むデジタルカメラシステムにおいて、前記カメラ本体内に設けられ、該カメラ本体の分光特性を記憶する第１の記憶手段と、前記カメラ本体に装着される可能性を有する複数の識別ＩＤに対応するレンズユニットの複数の絞り値における分光特性を記憶した第２の記憶手段と、前記カメラ本体に装着されているレンズユニットの識別ＩＤを検出する手段と、前記第１の記憶手段に記憶された分光特性と前記検出手段により検出された識別ＩＤおよび撮影時の絞り値に対応した前記第２の記憶手段に記憶された分光特性に基づき、ホワイトバランス補正値を算出する演算手段と、を備えていることを特徴とする。
【００１５】
このようなシステム構成とすれば、装着されているレンズユニットの撮影時の絞り値に対応した分光特性に基づき、常に適切なホワイトバランス補正値が算出されると共に、レンズユニットではそのユニットを識別するための識別ＩＤのみを記憶すればよいため、きわめて小さな記憶容量のメモリで済む。
【００１６】
請求項３に係るデジタルカメラシステムは、上記請求項１または請求項２記載のデジタルカメラシステムにおいて、複数の光源の分光特性を記憶した第３の記憶手段を備えていることを特徴とする。
【００１７】
このようなシステム構成とすれば、装着されているレンズユニットの撮影時の絞り値に対応した分光特性に基づき、さまざまな撮影光源下において常に適切なホワイトバランス補正値が算出される。
【発明を実施するための最良の形態】
【００１８】
以下本発明を、各図を参照しながら、その実施の形態について、詳細に説明する。図１に本発明の実施形態のデジタルカメラ１００の構成を示した。
【００１９】
デジタルカメラ１００には着脱可能なレンズユニット１１１が装着されている。
【００２０】
デジタルカメラ１００は、図１に示すように、被写体光Ｌが順次入射されるレンズ１１１ａ、絞り１１１ｂ、レンズユニットの分光特性データを記憶するメモリ１１１ｃ、及び撮像素子１１３と、ＣＤＳ回路やＡ／Ｄ変換前に行う非線形増幅回路を備えた前処理回路１１４と、撮像素子１１３からの出力信号をデジタル化するＡ／Ｄコンバータ１１５と、Ａ／Ｄコンバータ１１５により得られたデジタルの画像データに対して画像処理を施す画像処理回路１１６と、画像処理回路１１６による処理後の画像データを外部記憶装置１１９やメモリ１２０へ記憶させる為のメモリ制御回路１１７と、外部記憶装置１１９のインターフェース（Ｉ／Ｆ）回路１１８と、シャッター（シャッター装置）１２４と、シャッタースピードや絞り値に基づいてシャッター１２４を駆動制御するための測光センサ１２２及び測距センサ１２３と、レンズユニットの分光特性データ及びデジタルカメラ本体の分光特性データに基づきホワイトバランス補正値を算出するホワイトバランス補正値演算装置１２５と、デジタルカメラ１００全体の動作を司る制御部１２１とを備えている。
【００２１】
以下の実施例においては、カメラのＷＢモードは、太陽光モード、タングステン光モード、白色蛍光灯モードなどのいわゆるプリセットＷＢモードであることを前提とする。通常のカメラにおいては、プリセットＷＢモードでは、ホワイトバランス補正値は一定値であるため、レンズの絞り値によって画像の色味が異なってしまう。以下の実施形態では、プリセットＷＢモードにおいて、そのモードに対応する光源の分光放射輝度データとレンズの絞り値の分光透過率データに基づきホワイトバランス補正値を算出するため、絞り値によらず適切なホワイトバランス補正を行うことが可能になる。
【実施例１】
【００２２】
上述した構成のデジタルカメラ１００において、第１の実施例を以下に示す。
【００２３】
第１の実施例では、デジタルカメラ１００のメモリ１２０とレンズユニットのメモリ１１１ｃには、以下の内容が記憶されている。
【００２４】
メモリ１２０には、デジタルカメラ１００の分光特性データが記憶されている。具体的には例えば、原色系（ＲＧＢ）のカラーフィルタを有する、撮像素子の各原色フィルタの分光感度データＲ（λ）、Ｇ（λ）、Ｂ（λ）、赤外カットフィルタの分光透過率データＩ（λ）、及び光源の分光放射輝度データＳ（λ）である。図２は撮像素子の分光感度データＲ（λ）、Ｇ（λ）、Ｂ（λ）の例を示すもので、この特性をデータ化したものをメモリ１２０に記憶させる。図２では、波長の範囲を３８０ｎｍ〜７８０ｎｍとしているが、これに限定するものではない。図３は赤外カットフィルタの分光透過率データの例を示すもので、この特性をデータ化したものをメモリ１２０に記憶させる。図３では、波長の範囲を３８０ｎｍ〜７８０ｎｍとしているが、これに限定するものではない。光源の分光放射輝度データＳ（λ）としては、複数の光源のデータ、例えば、太陽光、タングステン光、白色蛍光灯などのプリセットＷＢモードに対応する光源などのデータを記憶しておくものとする。本実施例では、撮像素子、赤外カットフィルタ、光源の分光放射輝度データは別々にメモリに記憶しておき、制御装置１２１内で演算してカメラ本体の分光特性を算出する構成としているが、あらかじめ１つにまとめた分光特性データをメモリに記憶させておいてもよい。
【００２５】
レンズユニットのメモリ１１１ｃには、レンズユニットの絞り値に対応した分光透過率データＬ（λ）が記憶されている。図４は、レンズユニットの分光透過率データの例を示すもので、この特性をデータ化したものをレンズの絞り値毎にメモリ１１１ｃに記憶させる。図４では、波長の範囲を３８０ｎｍ〜７８０ｎｍ、レンズの絞り値を１．８、５．６、２２としているが、波長の範囲およびレンズの絞り値はこれに限定するものではない。
【００２６】
以下に本発明の第１の実施例の具体的な動作について説明する。
【００２７】
撮影が行われると、被写体（不図示）からの光線Ｌは、レンズユニット１１１を介して、撮像素子１１３の受光面に対して入射する。
【００２８】
このとき、制御部１２１は、被写体の輝度を測定する測光センサ１２２、及び測距点に対応したＣＣＤやＣ−ＭＯＳ等のラインセンサで構成され被写体との距離に応じた焦点ずれ信号を出力する測距センサ１２２の各出力に基づいて、適切な露出値を求め、シャッター１２４におけるシャッタースピードを駆動制御すると共に、絞り１１１ｂの絞り値を制御する。
【００２９】
尚、図１では、測光センサ１２２を、撮影レンズ１１１ａの光軸とは別個に設ける構成としているが、これに限られることはなく、撮影レンズ１１１ａの光軸と同軸に形成した、ＴＴＬ（スルーザレンズ）方式による構成としても良い。
【００３０】
撮像素子１１３は、ＣＣＤ（電荷転送デバイス）やＣ−ＭＯＳデバイス等の固体撮像素子を含み、絞り１１１ｂを介した入射光を電気信号に変換して出力する。
【００３１】
前処理回路１１４は、撮像素子１１３の出力信号（画像信号）に対して、ＣＤＳ回路（不図示）によるノイズ除去処理や、非線形増幅処理等を含む前処理を施す。
【００３２】
Ａ／Ｄコンバータ１１５は、前処理回路１１４による処理後の画像信号をデジタル化し、デジタルの画像データとして出力する。
【００３３】
画像処理回路１１６は、Ａ／Ｄコンバータ１１５から出力された画像データに対して、エッジ強調やガンマ補正等の画像処理を施す。
【００３４】
メモリ制御回路１１７は、画像処理回路１１６による処理後の画像データを、Ｉ／Ｆ回路１１８を介して、メモリカード等の外部記憶装置１１９、或いは内部記憶装置１２０へ記憶する。
【００３５】
画像処理装置１１６は、後に詳しく説明するホワイトバランス補正値演算装置１２５により算出されたホワイトバランス補正値に基づいて、Ａ／Ｄコンバータ１１５から出力された画像データに対する処理を行う。
【００３６】
画像処理が施された画像は最後に外部記憶装置１１９に格納される。
【００３７】
以下にどのようにホワイトバランス補正値を演算しているかについて図５に示すフローチャートを用いて詳しく説明する。
【００３８】
まずデジタルカメラ１００にレンズユニット１１１を装着する（ステップｓ５０１）。次に、デジタルカメラ１００の電源を投入する（ステップｓ５０２）。続いてレンズユニット１１１とカメラ１００間で双方向通信が可能かどうかの判定を行い（ステップｓ５０３）、通信が可能となると、レンズユニット１１１内のメモリ１１１ｃに格納されている分光透過率データがデジタルカメラ１００に送信される（ステップｓ５０４）。次にデジタルカメラ１００はレンズユニット１１１の分光透過率データの受信を確認するとその分光透過率データをメモリ１２０に一時記憶しておく（ステップｓ５０５）。
【００３９】
撮影が行われレンズの絞り値が決定すると（ステップｓ５０６）、カメラはその絞り値に対応したレンズユニットの分光透過率データをメモリ１２０から選択する（ステップｓ５０７）。次に、現在選択されているＷＢモードの判定を行い（ステップｓ５０８）、モードによって３つに場合分けをして処理を行う。ＷＢモードがプリセットであるときは、そのモードに対応する分光放射輝度データをメモリ１２０から選択し、選択された光源の分光放射輝度データ、ステップｓ５０７で選択されたレンズユニットの分光透過率データ、およびカメラ１００の分光特性データに基づき、次式を用いて補正値を算出する（ステップｓ５０９、ｓ５１０）。カメラのＲＧＢそれぞれの分光感度データをＲ（λ）、Ｇ（λ）、Ｂ（λ）、赤外カットフィルタの分光透過率データをＩ（λ）、レンズの分光透過率データをＬ（λ）、光源の分光放射輝度データをＳ（λ）とすると、ＷＢ補正値は次式で与えられる。
【００４０】
【数１】
2006074076.tif 000003
【００４１】
ＷＢモードがオートであるかの判別を行い（ステップｓ５１１）、オートであるときは、本発明とは異なるホワイトバランス補正値算出手法、例えばＴＴＬ方式等によりホワイトバランス補正値を算出する（ステップｓ５１２）。ＷＢモードがプリセットでもオートでもないとき、つまりマニュアルＷＢモードであるときは、設定されているホワイトバランス補正値を用いる（ステップｓ５１３）。
【００４２】
ＷＢ補正値が算出されると、画像処理回路１１６でそのＷＢ補正値を用いてＷＢ補正処理が行われる（ステップｓ５１４）。２駒目以降は、レンズユニット１１１とカメラ１００間の通信が切断されない限り、カメラ１００はレンズユニット１１１の分光特性データを再取得する必要はなく、ステップｓ５０６から処理をすれば良い（ステップｓ５１５）。
【実施例２】
【００４３】
上述した構成のデジタルカメラ１００において、第１の実施例を以下に示す。
【００４４】
第２の実施例では、デジタルカメラ１００のメモリ１２０には実施例１と同様のデジタルカメラ１００の分光特性データが記憶されている。また、レンズユニットのメモリ１１１ｃには、レンズユニットを識別するための識別ＩＤが記憶されている。
【００４５】
以下に本発明の第２の実施例の具体的な動作について説明する。
【００４６】
撮影が行われると、被写体（不図示）からの光線Ｌは、レンズユニット１１１を介して、撮像素子１１３の受光面に対して入射する。
【００４７】
このとき、制御部１２１は、被写体の輝度を測定する測光センサ１２２、及び測距点に対応したＣＣＤやＣ−ＭＯＳ等のラインセンサで構成され被写体との距離に応じた焦点ずれ信号を出力する測距センサ１２２の各出力に基づいて、適切な露出値を求め、シャッター１２４におけるシャッタースピードを駆動制御すると共に、絞り１１１ｂの絞り値を制御する。
【００４８】
尚、図１では、測光センサ１２２を、撮影レンズ１１１ａの光軸とは別個に設ける構成としているが、これに限られることはなく、撮影レンズ１１１ａの光軸と同軸に形成した、ＴＴＬ（スルーザレンズ）方式による構成としても良い。
【００４９】
撮像素子１１３は、ＣＣＤ（電荷転送デバイス）やＣ−ＭＯＳデバイス等の固体撮像素子を含み、絞り１１１ｂを介した入射光を電気信号に変換して出力する。
【００５０】
前処理回路１１４は、撮像素子１１３の出力信号（画像信号）に対して、ＣＤＳ回路（不図示）によるノイズ除去処理や、非線形増幅処理等を含む前処理を施す。
【００５１】
Ａ／Ｄコンバータ１１５は、前処理回路１１４による処理後の画像信号をデジタル化し、デジタルの画像データとして出力する。
【００５２】
画像処理回路１１６は、Ａ／Ｄコンバータ１１５から出力された画像データに対して、エッジ強調やガンマ補正等の画像処理を施す。
【００５３】
メモリ制御回路１１７は、画像処理回路１１６による処理後の画像データを、Ｉ／Ｆ回路１１８を介して、メモリカード等の外部記憶装置１１９、或いは内部記憶装置１２０へ記憶する。
【００５４】
画像処理装置１１６は、後に詳しく説明するホワイトバランス補正値演算装置１２５により算出されたホワイトバランス補正値に基づいて、Ａ／Ｄコンバータ１１５から出力された画像データに対する処理を行う。
【００５５】
画像処理が施された画像は最後に外部記憶装置１１９に格納される。
【００５６】
以下にどのようにホワイトバランス補正値を演算しているかについて図６に示すフローチャートを用いて詳しく説明する。
【００５７】
まずデジタルカメラ１００にレンズユニット１１１を装着する（ステップｓ６０１）。次に、デジタルカメラ１００の電源を投入する（ステップｓ６０２）。続いてレンズユニット１１１とカメラ１００間で双方向通信が可能かどうかの判定を行い（ステップｓ６０３）、通信が可能となると、レンズユニット１１１内のメモリ１１１ｃに格納されている識別ＩＤデータがデジタルカメラ１００に送信される（ステップｓ６０４）。次にデジタルカメラ１００はレンズユニット１１１の識別ＩＤデータの受信を確認するとそのデータをメモリ１２０に一時記憶しておく（ステップｓ６０５）。
【００５８】
撮影が行われレンズの絞り値が決定すると（ステップｓ６０６）、カメラはその絞り値に対応したレンズユニットの分光透過率データをメモリ１２０から選択する（ステップｓ６０７）。次に、現在選択されているＷＢモードの判定を行い（ステップｓ６０８）、モードによって３つに場合分けをして処理を行う。ＷＢモードがプリセットであるときは、そのモードに対応する分光放射輝度データをメモリ１２０から選択し、選択された光源の分光放射輝度データ、ステップｓ６０７で選択されたレンズユニットの分光透過率データ、およびカメラ１００の分光特性データに基づき、次式を用いて補正値を算出する（ステップｓ６０９、ｓ６１０）。カメラのＲＧＢそれぞれの分光感度データをＲ（λ）、Ｇ（λ）、Ｂ（λ）、赤外カットフィルタの分光透過率データをＩ（λ）、レンズの分光透過率データをＬ（λ）、光源の分光放射輝度データをＳ（λ）とすると、ＷＢ補正値は次式で与えられる。
【００５９】
【数１】
2006074076.tif 000004
【００６０】
ＷＢモードがオートであるかの判別を行い（ステップｓ６１１）、オートであるときは、本発明とは異なるホワイトバランス補正値算出手法、例えばＴＴＬ方式等によりホワイトバランス補正値を算出する（ステップｓ６１２）。ＷＢモードがプリセットでもオートでもないとき、つまりマニュアルＷＢモードであるときは、設定されているホワイトバランス補正値を用いる（ステップｓ６１３）。
【００６１】
ＷＢ補正値が算出されると、画像処理回路１１６でそのＷＢ補正値を用いてＷＢ補正処理が行われる（ステップｓ６１４）。２駒目以降は、レンズユニット１１１とカメラ１００間の通信が切断されない限り、カメラ１００はレンズユニット１１１の分光特性データを再取得する必要はなく、ステップｓ５０６から処理をすれば良い（ステップｓ６１５）。
【図面の簡単な説明】
【００６２】
【図１】本発明の実施例に係るデジタルカメラシステムの各部の全体構成を示すブロック図である。
【図２】本発明の実施例に係る撮像素子の分光感度特性の例を示した図である。
【図３】本発明の実施例に係る赤外カットフィルタの分光感度特性の例を示した図である。
【図４】本発明の実施例に係るレンズユニットの絞り値毎の分光感度特性の例を示した図である。
【図５】本発明の第１の実施例の動作を示したフローチャートである。
【図６】本発明の第２の実施例の動作を示したフローチャートである。
【符号の説明】
【００６３】
１００      デジタルカメラ
１１１      レンズユニット
１１１ａ    レンズ
１１１ｂ    絞り
１１１ｃ    メモリ
１１３      撮像素子
１１４      前処理回路
１１５      Ａ／Ｄコンバータ
１１６      画像処理回路
１１７      メモリ制御回路
１１８      Ｉ／Ｆ回路
１１９      外部記憶装置
１２０      メモリ
１２１      制御装置
１２２      測光センサ
１２３      測距センサ
１２４      シャッター装置
１２５      ホワイトバランス補正値演算装置
【図１】
2006074076.tif 000005
【図２】
2006074076.tif 000006
【図３】
2006074076.tif 000007
【図５】
2006074076.tif 000008
【図６】
2006074076.tif 000009
【図４】
2006074076.tif 000010